(57)【要約】      （修正有）【課題】没入型4D観光シミュレータシステムを提供する。【解決手段】パラグライディング・シミュレータ１００によって仮想の観光地の空を自由に滑空した後、指定された着陸地点で実際に歩く徒歩体験モードに切り替え、空から眺めた観光地を仮想の徒歩移動によって巡ることができるようにしたことで、時間及び経費の負担、体力的な要因にとらわれず、国内から海外に至るまで老若男女誰もが多様な観光地を現実と同様の没入型メディアで経験できる没入型4D観光シミュレータシステムであって、設置フレーム１に、送風機１１、体験モニター、上昇・下降誘導フレーム１２、サーボウィンチ１３及びウィンチ駆動モーター、モーション調整ワイヤー１４が繋がれたモーション制御ボックス１５、ハーネス１６、トレッドミル１７を設置構成する。さらに、リアルタイム連動構造でネットワークでつながり、没入型メディア映像を提供するVRヘッドセット２００を備える。【選択図】図２
2019207683.tif 000002
【特許請求の範囲】
【請求項１】
設置フレーム(1)を基礎構成として、前記設置フレーム(1)の上部面に複数の送風機(11)を分割設置し、前記送風機(11)の設置部前面に体験モニタリング・モニター(2)を取り付け、前記送風機(11)の下部に牽引ワイヤー(121)が繋がれた上昇・下降誘導フレーム(12)をサーボウィンチ(13)とウィンチ駆動モーター(M)による接続構造で取り付け、前記送風機(11)の下部の一側面にモーション調整ワイヤー(14)が繋がれたモーション制御ボックス(15)を設置し、前記上昇・下降誘導フレーム(12)の牽引ワイヤー(121)の端部にハーネス(16)を繋ぎ、前記設置フレーム(1)の下部面にトレッドミルを追加設置したパラグライディング・シミュレーター(100)と、前記パラグライディング・シミュレータ(100)とリアルタイム連動構造でネットワークでつながり、没入型メディア映像を提供するVRヘッドセット(200)が標準装備として構成される没入型4D観光シミュレータシステムにおいて；
前記VRヘッドセット(200)は、仮想メディア統合制御装置(2)を搭載するが、仮想メディア統合制御装置(2)はパラグライディング滑空モードと徒歩観光モードに体験メニューを選択変換する体験メニュー選択部(21)と；
仮想メディアにディスプレーされる体験現実の地域情報と季節条件情報、気象条件情報、昼夜間条件情報を設定入力する体験環境設定部(22)と；
仮想メディアにディスプレーされる体験現実の滑空スピードと滑空時間、そして徒歩スピードと徒歩観光時間を設定入力する運営時間設定部(23)と；
仮想メディアにディスプレーされる体験場所の地理的名称と、その体験地域にある観光名所、道路名、建物の名称、特産物情報がテキスト情報としてディスプレーされるようにする体験現場情報提供部(24)で構成される
ことを特徴とする滑空及び徒歩モードが融合された没入型4D観光シミュレータシステム。
【請求項２】
前記モーション制御ボックス(15)は、モーション調整ワイヤー(14)の操作信号を感知するワイヤー操作制御部(151)と；
前記の感知されたモーション調整ワイヤーの操作感知信号に従って、ウィンチ駆動モータ(M)を正逆作動させ、サーボウィンチ(13)によるハーネス(16)の上下送り牽引作動を制御するウィンチ駆動制御部(152)を内設する
請求項１に記載の滑空及び徒歩モードが融合された没入型4D観光シミュレータシステム。
【請求項３】
前記ウィンチ駆動モータ(M)は、補助送り作動フレーム(F)に繋がれ、その補助送り作動フレーム(F)による左、右の送り作用とウィンチ駆動モータ(M)の正逆作動によるサーボウィンチ(13)の上下作用により、ハーネス(16)を上、下、左、右方向に向かって立体的にその位置を可変させる
請求項１に記載の滑空及び徒歩モードが融合された没入型4D観光シミュレータシステム。
【請求項４】
前記送風機(11)は、VRヘッドセット(200)の体験環境設定部(22)で設定された気象条件情報信号に従って風の強さが強弱に自動調節され、送風作用を行う
請求項１に記載の滑空及び徒歩モードが融合された没入型4D観光シミュレータシステム。
【発明の詳細な説明】
【技術分野】
【０００１】
本発明は、没入型4D観光シミュレータシステムに関するもので、より詳しくはパラグライディング・シミュレータとトレッドミルが組み合わせられた仮想の観光体験装置として、広視野角の没入型ディスプレー環境及びエフェクト効果により特定された仮想の観光地の空を自由に滑空するようにし、滑空の後、指定された着陸地点に到着すると、トレッドミルで実際に歩く徒歩体験モードに切り替え、空から眺めた観光地を決められたルートあるいは自由な徒歩移動によって現実世界と同じ視覚、聴覚、触覚など五感で体験できるようにした滑空及び徒歩体験モードが融合された没入型4D観光シミュレータシステムに関するものである。
【背景技術】
【０００２】
今日、社会発展による所得向上やそれに伴う新しいライフスタイルの登場により、旅行及び各種レジャースポーツ産業の特需や内需消費が急ピッチに増加しているのが現状である。
例えば、つらい職場の業務や仕事に追われる日常生活で溜まったストレスを解消し、心身をリフレッシュするための方法として、多くの人が旅行に出かけたり、屋外でレジャー活動を楽しむのがその一例と言える。さらに、こうした単なる休息を目的とした余暇活動にとどまらず、よりスリリングな経験と快感を味わうための新しいレジャー分野、例えば空を飛びたいという人間の基本的な欲望をスポーツ活動の一分野として発展させたエクストリーム・スカイスポーツが広く開発され、次第に普及が進みつつある。
そこで、まずレジャー活動の一分野として既に定着しており、一般人の間で大衆化されたスカイスポーツの代表例を見ると、パラシューティングとハングライディングの原理を結びつけたパラグライディングがある。
【０００３】
しかし、前述したエクストリーム・スカイスポーツとしてのパラグライディングは、キャノピーを気流の誘導手段として使い、それに人間の身体を単純にぶら下げた状態で空を滑空するものであるため、身体がぶら下がった状態で空中を飛行する体験者は心理的安定感を欠いた状態で、強い恐怖を覚えるという問題があり、特にこうしたパラグライディングは熟練した技術や身体条件、体力、そして肝っ玉を要するため、一般人としては近よりがたく、体験が極めて制限されるという体験上の問題があった。
【０００４】
一方、また違う方法として、精神的ストレスを解消し、心身をリフレッシュするための旅行(観光)は、日常生活からの一時的な移動を基本前提とする行為として、そのためには十分な時間的余裕や経済力、そして体力を要する。
しかし、昨今の所得向上や新しいライフスタイルの登場により、余暇活動の範囲が広がったのは現状ではあるものの、比較的貧富の格差が広がっており、未成年など非経済活動人口の場合、旅行費用を工面するのにかなりの経済的負担を伴う。また、経済的余裕のある中、壮年層でも忙しい社会活動で時間的な余裕が十分ではなく、思うように旅行に出かけたり観光を楽しむことができないという問題がある。
【先行技術文献】
【特許文献】
【０００５】
【特許文献１】大韓民国特許登録  第1628544号
【特許文献２】大韓民国特許公開  第2016-0096281号
【発明の開示】
【発明が解決しようとする課題】
【０００６】
本発明は、現実的な体験が容易ではないパラグライディングや時間及び経済的な原因などにより旅行が制約される諸問題を解決することを目的として創案されたものとして；パラグライディング・シミュレータによって特定された仮想の観光地の空を自由に滑空できるようにし、滑空の後、指定された着陸地点に到着すると、再びトレッドミルによる徒歩体験モードにリアルタイムで切り替わるようにして、空から眺めた観光地を決められたルートあるいは自由な徒歩移動によって巡ることができるようにしたことで、時間及び経費の負担、そして体力的な限界などの要因にとらわれず、国内はもとより海外に至るまで老若男女誰もが多様な観光地を現実と同様の没入型メディアで経験できるようにした滑空及び徒歩モードが融合された没入型4D観光シミュレータシステムを提供することにある。
【０００７】
また本発明の目的は、美しい自然景観や文化遺跡、その他お祭りやイベントなどを対外的に広く広報し、多くの観光客を誘致することを望む地域や国、例えば地域別観光地にとってその地域の様々な観光情報を広くPRできる手段、例えば仮想体験によって体験者(ユーザー)の好奇心や期待感を刺激し、単なる仮想体験にとどまらず、それと同様、仮想で体験した観光地を実際訪れてみたいと思わせ、現実的な体験につながるようにすることで、PR効果を最大化し、それによって観光収益の増大につなげるようにした滑空及び徒歩モードが融合された没入型4D観光シミュレータシステムを提供することにある。
【課題を解決するための手段】
【０００８】
上記課題を解決するため、本発明は、設置フレームの上部面に送風機と、前記送風機の取付箇所前面に体験モニタリング・モニターと、前記送風機の下部に牽引ワイヤーが繋がれた上昇・下降誘導フレームと、前記上昇・下降誘導フレームを接続するサーボウィンチ及びウィンチ駆動モータと、前記送風機下部の一側面にモーション調整ワイヤーが繋がれたモーション制御ボックスと、前記送り誘導フレームの牽引ワイヤーの端部に繋がれるハーネスと、設置フレームの下部面に取り付けられたトレッドミルで構成されるパラグライディング・シミュレータ；そして、前記パラグライディング・シミュレータとリアルタイム連動構造でネットワークでつながり、没入型メディア映像を提供するVRヘッドセットを標準装備として構成する。
【発明の効果】
【０００９】
以上、本発明による滑空及び徒歩モードが融合された没入型4D観光シミュレータシステムは、VRパラグライディング・シミュレータを構築して、特定された仮想の観光地の空を自由に滑空できるようにし、滑空の後は指定された着陸地点に到着して、トレッドミルでリアルタイムで切り替わった徒歩体験モードによって空から眺めた観光地を実際歩く徒歩移動でゆったりした観光を楽しめるようにしたものである。従って、これは余暇時間の不足や経済的負担、そして体力的な限界にとらわれず老若男女誰もが容易にパラグライディング・スポーツを間接経験できるようにしたのは勿論、パラグライディング・スポーツと融合した形で、国内をはじめとする世界中の観光地を現実と同じ没入型メディアで旅行できるようにした効果を提供する。
【００１０】
また違う効果として、本発明による滑空及び徒歩モードが融合された没入型4D観光シミュレータシステムは美しい自然景観や文化遺跡、各種のお祭りやイベントなどといった様々な見ものや娯楽を対外的に広く発信し、そうした発信によってより多くの観光客の誘致を望む団体、例えば地域や国の機関がその地域の様々な観光情報をバーチャル空間を通してPRできるようにしたものとして、これは体験者(ユーザー)たちの好奇心や期待感を刺激し、そうした刺激によって単なる仮想体験にとどまらず、実際の訪問を誘導して現実的な体験につながるようにしたものとして、これはPR効果の最大化、ひいてはそれによる観光収益の増大など、非常に有効な期待効果を提供する。
【図面の簡単な説明】
【００１１】
【図１】本発明による滑空及び徒歩モードが融合された没入型4D観光シミュレータシステムの実写正面構成図
【図２】本発明による滑空及び徒歩モードが融合された没入型4D観光シミュレータシステムの実写側面構成図
【図３】本発明に適用されるパラグライディング・シミュレータの概略ブロック構成図
【図４】本発明に適用されるVRヘッドセットの概略ブロック構成図
【図５】本発明におけるパラグライディング滑空モードの仮想メディア一例図
【図６】本発明における徒歩観光モードの仮想メディアの一例図
【発明を実施するための最良の形態】
【００１２】
以下で本発明による滑空及び徒歩モードが融合された没入型4D観光シミュレータシステムの正しい実施例構成を添付図面に基づいて詳しく説明する。
【００１３】
添付図面を参照し、本発明による滑空及び徒歩モードが融合された没入型4D観光シミュレータシステムの概略的構成を見ると；これはパラグライディング・シミュレータ(100)とVRヘッドセット(200)をリアルタイム・オンライン連動構造でネットワーク接続し、構成する。
【００１４】
ここで、まず前記パラグライディング・シミュレータ(100)は、仮想のパラグライディング滑空体験及び仮想の徒歩観光体験を実現提供するために、体験者の身体を搭乗させる組み合わせられた一つの装置で構成されるもので、こうしたパラグライディング・シミュレータ(100)は図1ないし図3に図示された通り、直立した形で地面に設置された設置フレーム(1)を基礎構成とし、前記設置フレーム(1)の上部面に独立または統合作動制御によって風を発生させる複数の送風機(11)を水平分割配置構造で取り付け；前記送風機(11)の取付箇所の前面に図1ないし図3に図示された通り、現在行われているパラグライディング滑空体験モード及び徒歩観光体験モードに係る仮想のメディア映像をシステム運営者が肉眼でモニタリングできるようにリアルタイムで出力される体験モニタリング・モニター(M)を設置し；前記送風機(11)の下部に、図1または図2に図示された通り、多数の本数の牽引ワイヤー(121)が繋がれた上昇・下降誘導フレーム(12)をサーボウィンチ(13)とウィンチ駆動モータ(131)による接続構造で取り付け、さらに、前記送風機(11)下部の一側面に所定の長さの分割構成、例えば2本のモーション調整ワイヤー(14)が繋がれたモーション制御ボックス(15)を設置し；前記上昇・下降誘導フレーム(12)の牽引ワイヤー(121)の端部にハーネス(16)、例えば一種のシートベルトとして体験者の身体を固定させ、搭乗する搭乗手段を接続し；前記設置フレーム(1)の下部面にトレッドミル(17)を追加設置することが望ましい。
【００１５】
その時、前述したパラグライディング・シミュレータ(100)において、前記モーション制御ボックス(15)は、モーション調整ワイヤー(14)の操作信号を感知するワイヤー操作制御部(151)と、前記の感知されたモーション調整ワイヤー(14)の操作感知信号に従って、ウィンチ駆動モータ(M)を正逆作動させ、サーボウィンチ(13)によるハーネス(16)の上、下送り牽引作動関係を制御するウィンチ駆動制御部(153)を内設する。
【００１６】
また、前述したパラグライディング・シミュレータ(100)において、前記ウィンチ駆動モータ(M)はチェーンまたはベルト駆動手段(図示省略)が取り付けられたコンベア方式の左、右送りガイド手段、例えば補助送り作動フレーム(F)に接続設置され、その補助送り作動フレーム(F)による左、右送り作用と、ウィンチ駆動モータ(M)の正逆作動によるサーボウィンチの上、下作用によってハーネス(16)を上、下、左、右方向に向かって立体的にその位置を可変できるように構成する。
【００１７】
また、前記VRヘッドセット(200)は、体験者の頭に眼鏡またはゴーグルのような形で着用される機構的形態の構成で、それと同様、着用された状態でパラグライディング滑空体験モード及び徒歩観光体験モードに対する仮想の没入型メディアを設定及び制御し、その設定及び制御によって没入型メディアを立体的に出力する手段であるため、こうしたVRヘッドセット(200)の機構的構成は、通常のVRヘッドセット、例えば一般的なVRシステムと相違せず、但しこうした一般的構成のVRヘッドセット(200)に、本発明による仮想のパラグライディング滑空体験及び徒歩観光体験を提供するための一種のプログラム装置、例えば仮想メディア統合制御装置(2)を搭載することが望ましい。
【００１８】
そこで、前述のVRヘッドセット(200)に搭載される、本発明の特徴的構成である前記仮想メディア統合制御装置(2)は、図5で図示した通りVRヘッドセット(200)に出力されるパラグライディング滑空モード及び徒歩観光モードと、希望する当該体験メニューを選択及び変換する体験メニュー選択部(21)を形成し；仮想メディアにディスプレーされる体験現実の地域情報、例えば韓国の仁川、慶州、釜山などのように体験を希望する観光地域情報や春夏秋冬といった希望する季節条件情報、雪、雨、風の強さなどに関する希望する気象条件情報、そして昼や夜など希望する昼夜間条件情報を設定入力する体験環境設定部(22)を形成し；さらに、仮想メディアにディスプレーされる体験現実、例えばその体験対象がパラグライディング滑空モードである場合、滑空スピードや滑空時間を設定、入力し、一方で体験対象が徒歩観光モードである場合、徒歩スピードや徒歩観光時間を設定入力する運営時間設定部(23)を形成し；最後に、仮想メディアにディスプレーされる体験場所の地理的名称やその体験地域にある観光名所、道路名、建物の名称、特産物情報を図5または図6に図示した通り、テキスト情報としてディスプレーされるようにする体験現場情報提供部(24)を形成する。
【００１９】
従って、前述のような一連の構成で実現する本発明による滑空及び徒歩モードが融合された没入型4D観光シミュレータシステムは、パラグライディング滑空体験モードによって観光地の空を自由に滑空できるようにすると同時に、滑空の後、指定された着陸地点に到着すると、トレッドミルの作動によって実際歩く徒歩体験モードに切り替わり、空から眺めた観光地をまた違う地上のルートとして自由に徒歩移動することで現実世界と同様の没入型メディアを経験できるという機能を提供する。
【符号の説明】
【００２０】
1：設置フレーム
2：仮想メディア統合制御装置
11：送風機
12：上昇・下降誘導フレーム
13：サーボウィンチ
14：モーション調整ワイヤー
15：モーション制御ボックス
16：ハーネス
17：トレッドミル
21：体験メニュー選択部
22：体験環境設定部
23：運営時間設定部
24：体験現場情報提供部
【図１】
2019207683.tif 000003
【図２】
2019207683.tif 000004
【図３】
2019207683.tif 000005
【図４】
2019207683.tif 000006
【図５】
2019207683.tif 000007
【図６】
2019207683.tif 000008
【手続補正書】
【提出日】令和1年7月29日(2019.7.29)
【手続補正１】
【補正対象書類名】特許請求の範囲
【補正対象項目名】全文
【補正方法】変更
【補正の内容】
【特許請求の範囲】
【請求項１】
設置フレーム(1)を基礎構成として、前記設置フレーム(1)の上部面に複数の送風機(11)を分割設置し、前記送風機(11)の設置部前面に体験モニタリング・モニター(M)を取り付け、前記送風機(11)の下部に牽引ワイヤー(121)が繋がれた上昇・下降誘導フレーム(12)をサーボウィンチ(13)とウィンチ駆動モーター(131)による接続構造で取り付け、前記送風機(11)の下部の一側面にモーション調整ワイヤー(14)が繋がれたモーション制御ボックス(15)を設置し、前記上昇・下降誘導フレーム(12)の牽引ワイヤー(121)の端部にハーネス(16)を繋ぎ、前記設置フレーム(1)の下部面にトレッドミルを追加設置したパラグライディング・シミュレーター(100)と、前記パラグライディング・シミュレータ(100)とリアルタイム連動構造でネットワークでつながり、没入型メディア映像を提供するVRヘッドセット(200)が標準装備として構成される没入型4D観光シミュレータシステムにおいて；
前記VRヘッドセット(200)は、仮想メディア統合制御装置(2)を搭載するが、仮想メディア統合制御装置(2)はパラグライディング滑空モードと徒歩観光モードに体験メニューを選択変換する体験メニュー選択部(21)と；
仮想メディアにディスプレーされる体験現実の地域情報と季節条件情報、気象条件情報、昼夜間条件情報を設定入力する体験環境設定部(22)と；
仮想メディアにディスプレーされる体験現実の滑空スピードと滑空時間、そして徒歩スピードと徒歩観光時間を設定入力する運営時間設定部(23)と；
仮想メディアにディスプレーされる体験場所の地理的名称と、その体験地域にある観光名所、道路名、建物の名称、特産物情報がテキスト情報としてディスプレーされるようにする体験現場情報提供部(24)で構成される
ことを特徴とする滑空及び徒歩モードが融合された没入型4D観光シミュレータシステム。
【請求項２】
前記モーション制御ボックス(15)は、モーション調整ワイヤー(14)の操作信号を感知するワイヤー操作制御部(151)と；
前記の感知されたモーション調整ワイヤーの操作感知信号に従って、前記ウィンチ駆動モーター(131)を正逆作動させ、サーボウィンチ(13)によるハーネス(16)の上下送り牽引作動を制御するウィンチ駆動制御部(152)を内設する
請求項１に記載の滑空及び徒歩モードが融合された没入型4D観光シミュレータシステム。
【請求項３】
前記ウィンチ駆動モーター(131)は、補助送り作動フレーム(F)に繋がれ、その補助送り作動フレーム(F)による左、右の送り作用とウィンチ駆動モーター(131)の正逆作動によるサーボウィンチ(13)の上下作用により、ハーネス(16)を上、下、左、右方向に向かって立体的にその位置を可変させる
請求項１に記載の滑空及び徒歩モードが融合された没入型4D観光シミュレータシステム。
【請求項４】
前記送風機(11)は、VRヘッドセット(200)の体験環境設定部(22)で設定された気象条件情報信号に従って風の強さが強弱に自動調節され、送風作用を行う
請求項１に記載の滑空及び徒歩モードが融合された没入型4D観光シミュレータシステム。
【手続補正２】
【補正対象書類名】明細書
【補正対象項目名】全文
【補正方法】変更
【補正の内容】
【発明の詳細な説明】
【技術分野】
【０００１】
本発明は、没入型4D観光シミュレータシステムに関するもので、より詳しくはパラグライディング・シミュレータとトレッドミルが組み合わせられた仮想の観光体験装置として、広視野角の没入型ディスプレー環境及びエフェクト効果により特定された仮想の観光地の空を自由に滑空するようにし、滑空の後、指定された着陸地点に到着すると、トレッドミルで実際に歩く徒歩体験モードに切り替え、空から眺めた観光地を決められたルートあるいは自由な徒歩移動によって現実世界と同じ視覚、聴覚、触覚など五感で体験できるようにした滑空及び徒歩体験モードが融合された没入型4D観光シミュレータシステムに関するものである。
【背景技術】
【０００２】
今日、社会発展による所得向上やそれに伴う新しいライフスタイルの登場により、旅行及び各種レジャースポーツ産業の特需や内需消費が急ピッチに増加しているのが現状である。
例えば、つらい職場の業務や仕事に追われる日常生活で溜まったストレスを解消し、心身をリフレッシュするための方法として、多くの人が旅行に出かけたり、屋外でレジャー活動を楽しむのがその一例と言える。さらに、こうした単なる休息を目的とした余暇活動にとどまらず、よりスリリングな経験と快感を味わうための新しいレジャー分野、例えば空を飛びたいという人間の基本的な欲望をスポーツ活動の一分野として発展させたエクストリーム・スカイスポーツが広く開発され、次第に普及が進みつつある。
そこで、まずレジャー活動の一分野として既に定着しており、一般人の間で大衆化されたスカイスポーツの代表例を見ると、パラシューティングとハングライディングの原理を結びつけたパラグライディングがある。
【０００３】
しかし、前述したエクストリーム・スカイスポーツとしてのパラグライディングは、キャノピーを気流の誘導手段として使い、それに人間の身体を単純にぶら下げた状態で空を滑空するものであるため、身体がぶら下がった状態で空中を飛行する体験者は心理的安定感を欠いた状態で、強い恐怖を覚えるという問題があり、特にこうしたパラグライディングは熟練した技術や身体条件、体力、そして肝っ玉を要するため、一般人としては近よりがたく、体験が極めて制限されるという体験上の問題があった。
【０００４】
一方、また違う方法として、精神的ストレスを解消し、心身をリフレッシュするための旅行(観光)は、日常生活からの一時的な移動を基本前提とする行為として、そのためには十分な時間的余裕や経済力、そして体力を要する。
しかし、昨今の所得向上や新しいライフスタイルの登場により、余暇活動の範囲が広がったのは現状ではあるものの、比較的貧富の格差が広がっており、未成年など非経済活動人口の場合、旅行費用を工面するのにかなりの経済的負担を伴う。また、経済的余裕のある中、壮年層でも忙しい社会活動で時間的な余裕が十分ではなく、思うように旅行に出かけたり観光を楽しむことができないという問題がある。
【先行技術文献】
【特許文献】
【０００５】
【特許文献１】大韓民国特許登録  第1628544号
【特許文献２】大韓民国特許公開  第2016-0096281号
【発明の開示】
【発明が解決しようとする課題】
【０００６】
本発明は、現実的な体験が容易ではないパラグライディングや時間及び経済的な原因などにより旅行が制約される諸問題を解決することを目的として創案されたものとして；パラグライディング・シミュレータによって特定された仮想の観光地の空を自由に滑空できるようにし、滑空の後、指定された着陸地点に到着すると、再びトレッドミルによる徒歩体験モードにリアルタイムで切り替わるようにして、空から眺めた観光地を決められたルートあるいは自由な徒歩移動によって巡ることができるようにしたことで、時間及び経費の負担、そして体力的な限界などの要因にとらわれず、国内はもとより海外に至るまで老若男女誰もが多様な観光地を現実と同様の没入型メディアで経験できるようにした滑空及び徒歩モードが融合された没入型4D観光シミュレータシステムを提供することにある。
【０００７】
また本発明の目的は、美しい自然景観や文化遺跡、その他お祭りやイベントなどを対外的に広く広報し、多くの観光客を誘致することを望む地域や国、例えば地域別観光地にとってその地域の様々な観光情報を広くPRできる手段、例えば仮想体験によって体験者(ユーザー)の好奇心や期待感を刺激し、単なる仮想体験にとどまらず、それと同様、仮想で体験した観光地を実際訪れてみたいと思わせ、現実的な体験につながるようにすることで、PR効果を最大化し、それによって観光収益の増大につなげるようにした滑空及び徒歩モードが融合された没入型4D観光シミュレータシステムを提供することにある。
【課題を解決するための手段】
【０００８】
上記課題を解決するため、本発明は、設置フレームの上部面に送風機と、前記送風機の取付箇所前面に体験モニタリング・モニターと、前記送風機の下部に牽引ワイヤーが繋がれた上昇・下降誘導フレームと、前記上昇・下降誘導フレームを接続するサーボウィンチ及びウィンチ駆動モーターと、前記送風機下部の一側面にモーション調整ワイヤーが繋がれたモーション制御ボックスと、前記送り誘導フレームの牽引ワイヤーの端部に繋がれるハーネスと、設置フレームの下部面に取り付けられたトレッドミルで構成されるパラグライディング・シミュレータ；そして、前記パラグライディング・シミュレータとリアルタイム連動構造でネットワークでつながり、没入型メディア映像を提供するVRヘッドセットを標準装備として構成する。
【発明の効果】
【０００９】
以上、本発明による滑空及び徒歩モードが融合された没入型4D観光シミュレータシステムは、VRパラグライディング・シミュレータを構築して、特定された仮想の観光地の空を自由に滑空できるようにし、滑空の後は指定された着陸地点に到着して、トレッドミルでリアルタイムで切り替わった徒歩体験モードによって空から眺めた観光地を実際歩く徒歩移動でゆったりした観光を楽しめるようにしたものである。従って、これは余暇時間の不足や経済的負担、そして体力的な限界にとらわれず老若男女誰もが容易にパラグライディング・スポーツを間接経験できるようにしたのは勿論、パラグライディング・スポーツと融合した形で、国内をはじめとする世界中の観光地を現実と同じ没入型メディアで旅行できるようにした効果を提供する。
【００１０】
また違う効果として、本発明による滑空及び徒歩モードが融合された没入型4D観光シミュレータシステムは美しい自然景観や文化遺跡、各種のお祭りやイベントなどといった様々な見ものや娯楽を対外的に広く発信し、そうした発信によってより多くの観光客の誘致を望む団体、例えば地域や国の機関がその地域の様々な観光情報をバーチャル空間を通してPRできるようにしたものとして、これは体験者(ユーザー)たちの好奇心や期待感を刺激し、そうした刺激によって単なる仮想体験にとどまらず、実際の訪問を誘導して現実的な体験につながるようにしたものとして、これはPR効果の最大化、ひいてはそれによる観光収益の増大など、非常に有効な期待効果を提供する。
【図面の簡単な説明】
【００１１】
【図１】本発明による滑空及び徒歩モードが融合された没入型4D観光シミュレータシステムの実写正面構成図
【図２】本発明による滑空及び徒歩モードが融合された没入型4D観光シミュレータシステムの実写側面構成図
【図３】本発明に適用されるパラグライディング・シミュレータの概略ブロック構成図
【図４】本発明に適用されるVRヘッドセットの概略ブロック構成図
【図５】本発明におけるパラグライディング滑空モードの仮想メディア一例図
【図６】本発明における徒歩観光モードの仮想メディアの一例図
【発明を実施するための最良の形態】
【００１２】
以下で本発明による滑空及び徒歩モードが融合された没入型4D観光シミュレータシステムの正しい実施例構成を添付図面に基づいて詳しく説明する。
【００１３】
添付図面を参照し、本発明による滑空及び徒歩モードが融合された没入型4D観光シミュレータシステムの概略的構成を見ると；これはパラグライディング・シミュレータ(100)とVRヘッドセット(200)をリアルタイム・オンライン連動構造でネットワーク接続し、構成する。
【００１４】
ここで、まず前記パラグライディング・シミュレータ(100)は、仮想のパラグライディング滑空体験及び仮想の徒歩観光体験を実現提供するために、体験者の身体を搭乗させる組み合わせられた一つの装置で構成されるもので、こうしたパラグライディング・シミュレータ(100)は図1ないし図3に図示された通り、直立した形で地面に設置された設置フレーム(1)を基礎構成とし、前記設置フレーム(1)の上部面に独立または統合作動制御によって風を発生させる複数の送風機(11)を水平分割配置構造で取り付け；前記送風機(11)の取付箇所の前面に図1ないし図3に図示された通り、現在行われているパラグライディング滑空体験モード及び徒歩観光体験モードに係る仮想のメディア映像をシステム運営者が肉眼でモニタリングできるようにリアルタイムで出力される体験モニタリング・モニター(M)を設置し；前記送風機(11)の下部に、図1または図2に図示された通り、多数の本数の牽引ワイヤー(121)が繋がれた上昇・下降誘導フレーム(12)をサーボウィンチ(13)とウィンチ駆動モーター(131)による接続構造で取り付け、さらに、前記送風機(11)下部の一側面に所定の長さの分割構成、例えば2本のモーション調整ワイヤー(14)が繋がれたモーション制御ボックス(15)を設置し；前記上昇・下降誘導フレーム(12)の牽引ワイヤー(121)の端部にハーネス(16)、例えば一種のシートベルトとして体験者の身体を固定させ、搭乗する搭乗手段を接続し；前記設置フレーム(1)の下部面にトレッドミル(17)を追加設置することが望ましい。
【００１５】
その時、前述したパラグライディング・シミュレータ(100)において、前記モーション制御ボックス(15)は、モーション調整ワイヤー(14)の操作信号を感知するワイヤー操作制御部(151)と、前記の感知されたモーション調整ワイヤー(14)の操作感知信号に従って、ウィンチ駆動モーター(131)を正逆作動させ、サーボウィンチ(13)によるハーネス(16)の上、下送り牽引作動関係を制御するウィンチ駆動制御部(152)を内設する。
【００１６】
また、前述したパラグライディング・シミュレータ(100)において、前記ウィンチ駆動モーター(131)はチェーンまたはベルト駆動手段(図示省略)が取り付けられたコンベア方式の左、右送りガイド手段、例えば補助送り作動フレーム(F)に接続設置され、その補助送り作動フレーム(F)による左、右送り作用と、ウィンチ駆動モーター(131)の正逆作動によるサーボウィンチの上、下作用によってハーネス(16)を上、下、左、右方向に向かって立体的にその位置を可変できるように構成する。
【００１７】
また、前記VRヘッドセット(200)は、体験者の頭に眼鏡またはゴーグルのような形で着用される機構的形態の構成で、それと同様、着用された状態でパラグライディング滑空体験モード及び徒歩観光体験モードに対する仮想の没入型メディアを設定及び制御し、その設定及び制御によって没入型メディアを立体的に出力する手段であるため、こうしたVRヘッドセット(200)の機構的構成は、通常のVRヘッドセット、例えば一般的なVRシステムと相違せず、但しこうした一般的構成のVRヘッドセット(200)に、本発明による仮想のパラグライディング滑空体験及び徒歩観光体験を提供するための一種のプログラム装置、例えば仮想メディア統合制御装置(2)を搭載することが望ましい。
【００１８】
そこで、前述のVRヘッドセット(200)に搭載される、本発明の特徴的構成である前記仮想メディア統合制御装置(2)は、図5で図示した通りVRヘッドセット(200)に出力されるパラグライディング滑空モード及び徒歩観光モードと、希望する当該体験メニューを選択及び変換する体験メニュー選択部(21)を形成し；仮想メディアにディスプレーされる体験現実の地域情報、例えば韓国の仁川、慶州、釜山などのように体験を希望する観光地域情報や春夏秋冬といった希望する季節条件情報、雪、雨、風の強さなどに関する希望する気象条件情報、そして昼や夜など希望する昼夜間条件情報を設定入力する体験環境設定部(22)を形成し；さらに、仮想メディアにディスプレーされる体験現実、例えばその体験対象がパラグライディング滑空モードである場合、滑空スピードや滑空時間を設定、入力し、一方で体験対象が徒歩観光モードである場合、徒歩スピードや徒歩観光時間を設定入力する運営時間設定部(23)を形成し；最後に、仮想メディアにディスプレーされる体験場所の地理的名称やその体験地域にある観光名所、道路名、建物の名称、特産物情報を図5または図6に図示した通り、テキスト情報としてディスプレーされるようにする体験現場情報提供部(24)を形成する。
【００１９】
従って、前述のような一連の構成で実現する本発明による滑空及び徒歩モードが融合された没入型4D観光シミュレータシステムは、パラグライディング滑空体験モードによって観光地の空を自由に滑空できるようにすると同時に、滑空の後、指定された着陸地点に到着すると、トレッドミルの作動によって実際歩く徒歩体験モードに切り替わり、空から眺めた観光地をまた違う地上のルートとして自由に徒歩移動することで現実世界と同様の没入型メディアを経験できるという機能を提供する。
【符号の説明】
【００２０】
1：設置フレーム
2：仮想メディア統合制御装置
11：送風機
12：上昇・下降誘導フレーム
13：サーボウィンチ
14：モーション調整ワイヤー
15：モーション制御ボックス
16：ハーネス
17：トレッドミル
21：体験メニュー選択部
22：体験環境設定部
23：運営時間設定部
24：体験現場情報提供部
【外国語明細書】
2019207683000001.pdf